(57)【要約】【課題】缶、びん等の容器、小箱、袋物などに収納された商品を、保管または陳列するためのショーケースや陳列棚において、缶、びん等の取り出しをよりスムースにできるスライド板を提供するとともに、缶、びん等の整列冷気の循環効率を良くすると同時に、仕切り板とスライド板との組み合わせに供する仕切り板およびその周辺装置を提供することにある。【解決手段】缶、びん等の容器、小箱、袋物などに収納された商品を、保管または陳列するためのショーケースや陳列棚において、以下の構成としたことを特徴とする仕切り板を有する陳列棚装置。（１）陳列商品を仕切るための仕切り板。（２）前記仕切り板の一部を構成するメッシュ状リブ。（３）前記メッシュ状リブを囲うように形成される枠部。【選択図】    図１
2006181312.tif 000002
【特許請求の範囲】
【請求項１】
缶、びん等の容器、小箱、袋物などに収納された商品を、保管または陳列するためのショーケースや陳列棚において、以下の構成としたことを特徴とする仕切り板を有する陳列棚装置。
（１）陳列商品を仕切るための仕切り板。
（２）前記仕切り板の一部を構成するメッシュ状リブ。
（３）前記メッシュ状リブを囲うように形成される枠部。
【請求項２】
缶、びん等の容器、小箱、袋物などに収納された商品を、保管または陳列するためのショーケースや陳列棚において、以下の構成としたことを特徴とする仕切り板を有する陳列棚装置。
（１）陳列商品を仕切るための、メッシュ状リブと前記メッシュ状リブを囲うように形成される枠部からなる仕切り板。
（２）前記メッシュ状リブを、リブ間で形成される空間部が略ひし形となるように形成した仕切り板。
【請求項３】
前記請求項１ないし２において、射出成形機から射出される熔融樹脂を貯留するとともに、前記枠部には直接連通させないことで熔融樹脂を加圧して放出するための誘導帯を、前記メッシュ状リブ上に設けることを特徴とする陳列棚装置。
【請求項４】
前記請求項１ないし３において、前記誘導帯を、前記メッシュ状リブの空間部に形成することを特徴とする商品の仕切り板を有する陳列棚装置。
【請求項５】
前記請求項１ないし４において、商品を載置するためのスライド板を狭持または載置するためのガイド部を、前記仕切り板の側面に設けたことを特徴とする仕切り板とスライド板を有する陳列棚装置。
【請求項６】
缶、びん等の容器、小箱、袋物などに収納された商品を、保管または陳列するためのショーケースや陳列棚において、以下の構成としたことを特徴とする仕切り板を有する陳列棚装置。
（１）陳列商品を仕切るための、メッシュ状リブと前記メッシュ状リブを囲うように形成される枠部からなる仕切り板。
（２）前記仕切り板の少なくとも一方の端面に設けられる係止部。
（３）陳列棚の棚板の手前側に設けられ、かつ、前記係止部を保持する保持部。
【請求項７】
前記請求項６において、前記係止部と保持部を略円筒形とし、かつ、それらが互いに係合することで係止部が保持部内でスライド可能とすることを特徴とする仕切り板を有する陳列棚装置。
【請求項８】
前記請求項７において、前記略円筒形の保持部に、前記係止部の一部が嵌合するための切込みを設けることを特徴とする仕切り板を有する陳列棚装置。
【請求項９】
缶、びん等の容器、小箱、袋物などに収納された商品を、保管または陳列するためのショーケースや陳列棚において、以下の構成としたことを特徴とする仕切り板とスライド板を有する陳列棚装置。
（１）陳列商品を仕切るための、メッシュ状リブと前記メッシュ状リブを囲うように形成される枠部からなる仕切り板。
（２）前記スライド板の少なくとも一方の端面に設けられる係止部。
（３）陳列棚の棚板の手前側に設けられ、かつ、前記係止部を保持する保持部。
（４）複数の平板状のスライド板を結合するために、前記仕切り板の底部に設けられ、かつ、少なくとも左右方向いずれかに開口部を有する結合片。
【請求項１０】
缶、びん等の容器、小箱、袋物などに収納された商品を、保管または陳列するためのショーケースや陳列棚において、以下の構成としたことを特徴とするスライド板と結合片を有する陳列棚装置。
（１）缶、びん等の容器を載置するために、少なくとも一方の表面に複数の突状リブが形成される平板状のスライド板。
（２）前記スライド板の一方の長手方向に互いに平行に配置される第１のリブ群と、前記第１のリブ群に交差する第２のリブ群で構成される前記複数の突状リブ。
（３）少なくとも一方の端面に、凸部を有する前記スライド板。
（４）前記複数の平板状のスライド板を結合するために、前記スライド板の係止部を係止する開口部を有する結合片。
【請求項１１】
缶、びん等の容器、小箱、袋物などに収納された商品を、保管または陳列するためのショーケースや陳列棚において、以下の構成としたことを特徴とするスライド板と仕切り版と結合片を有する陳列棚装置。
（１）缶、びん等の容器を載置するために、少なくとも一方の表面に複数のが形成される平板状のスライド板。
（２）前記スライド板の一方の長手方向に互いに平行に配置される第１のリブ群と、前記第１のリブ群に交差する第２のリブ群で構成される前記複数の。
（３）少なくとも一方の端面に、結合凸部を有する前記スライド板。
（４）陳列商品を仕切るために、前記スライド板上に略垂直に載置される平板状の仕切り板。
（５）前記複数の平板状のスライド板と前記仕切り板を一体的に結合するために、前記スライド板の結合凸部を係止するためのスライド板受部と前記仕切り板を係止するための仕切り板受部を有する結合片。
【請求項１２】
缶、びん等の容器、小箱、袋物などに収納された商品を、保管または陳列するためのショーケースや陳列棚において、以下の構成としたことを特徴とするスライド板を有する陳列棚装置。
（１）缶、びん等の容器を載置するために、表面に複数のが形成されるとともに、裏面は接着剤が塗布できるように平面に形成されたスライドシート。
（２）前記スライドシートが載置される平板状のスライド基板。
（３）前記スライドシートの裏面と前記スライド基板とを張り合わせたスライド板。
【請求項１３】
缶、びん等の容器、小箱、袋物などに収納された商品を、保管または陳列するためのショーケースや陳列棚において、以下の構成としたことを特徴とする陳列棚装置。
（１）缶、びん等の容器を載置するために、少なくとも一方の表面に複数のが形成される平板状のスライド板からなる棚板。
（２）前記スライド板からなる棚板の前面と側面を囲うための枠部で、かつ、再生材料で構成した枠部。
（３）２色成形により一体化される前記棚板と前記枠部。
【請求項１４】
缶、びん等の容器、小箱、袋物などに収納された商品を、保管または陳列するためのショーケースや陳列棚において、以下の構成としたことを特徴とするスライド板を有する陳列棚装置。
（１）長手方向に略平行に形成される第１のリブ群と、前記第１のリブ群に交差するように形成された第２のリブ群とからなるメッシュ状リブを有するスライド板。
（２）前記メッシュ状リブを、リブ間で形成される空間部が略ひし形となるように形成したスライド板。
（３）射出成形機から射出される熔融樹脂を貯留するとともに、前記枠部には直接連通させないことで熔融樹脂を加圧して放出するために、前記メッシュ状リブ上に設けた誘導帯。
【請求項１５】
前記請求項１４において、前記誘導帯を前記メッシュ状リブの高さよりも低く形成したことを特徴とするスライド板を有する陳列棚装置。
【発明の詳細な説明】
【技術分野】
【０００１】この発明は、缶、びん等の容器、小箱、袋物などに収納された商品を、保管または陳列するためのショーケースや陳列棚に関するものである。特に缶、びん等の容器入り飲料等が、陳列販売されるショーケースや自動販売機、保温庫や冷蔵庫の棚板、底板および仕切り板を形成する、または、それらととともに用いられるスライド板や仕切り板の構造およびその成形方法に関するものである。
【背景技術】
【０００２】従来から、百貨店、スーパーマーケット、コンビニエンスストア等の小売店の食料品売り場に於いて多種類の缶入り飲料水、瓶入り飲料水、合成樹脂製ボトル入り飲料水等が販売されている。これらの各種飲料水は、通常、各種類毎に分けて陳列棚の前列側から奥側に向けて整列させており、客は陳列棚を見て自分が欲しい種類のものを選択しその最前列に置かれている商品から順次購入していく。一方、店員は残り少なくなってきた種類の商品を前列側へと送り出し奥側に新しい商品を補充していく。奥側に新しい商品を補充するのは、元から陳列している商品を先に販売する必要があるとともに、冷蔵室に商品を陳列している場合には客が購入する以前に前以て冷却しておく時間が必要であるからである。【０００３】ところが、陳列されている商品は購入客が選択するために手に取ったりしているうち段々と当初整列させた位置からずれてきて隣接する他の種類の商品との間で混り合ってくる。即ち、経時と共に陳列棚は煩雑となってくる。従って、店員は一定時間毎に陳列棚の商品を整列し直す必要がある。他方、出来るだけ人手は省力化したいという要請がある。【０００４】また、スーパーマーケットなどで一般的な陳列棚となっている、箱入りお菓子や袋入り食品を載置する棚は、商品をとりやすくするために、棚板を５度から２０度程度、手前方向に傾斜するように設置している。この場合は、商品の自重で多少なりとも手前方向にスライドはするが、棚板は単なる平板なので、客が手前の商品をとっても必ずしも後方にある商品が手前にスライドしてくる保証はなかった。最近のスーパーマーケットでは、目玉商品の売り出し時には非常に多数の商品を同時に陳列することが多くなり、その際には可能な限り商品を手前から客に取ってもらい、混雑を避ける必要と、商品展示を切らさないために棚板の奥側から商品補充をしなければならない状況も出てきた。
さらには、人件費削減のために、商品を常時きれいに整頓して陳列する要員を専門に置けない事情も生じている。【０００５】さらに、従来のこの種のショーケース等における一般的な構造は、容器の取り出し方向に対して（扉側に行くにつれて）、低く傾斜する傾斜面を有する平板状の棚板と、前記棚板の上に載置され、かつ、前記取出方向に整列された複数個の容器を、前記傾斜面を介してスライド可能に収容するスライド板からなるものであった。
そして、スライド板の一例としては、例えば、缶、びん等の容器がスライドして取り出し口手前に出てくるように、スライド板のスライド部分に多数のローラーを使用して確実にスライドさせるようにしているものがある。特に、容器群を垂直に保管する構成のショーケースの場合は、単に平板を傾斜させるだけでは、缶、びん等の容器が自重でスライドするのが難しかった。そのため部品点数が多くなり、構造も複雑になる欠点があるものの、多数のローラーを使用したスライド板を用いるのが一般的であった。
その従来例である特許文献１について説明する。
図３０および図３１に示すように、容器の取り出し方向に直交するように細長なローラー３が複数並んで設けられている。このローラーを棚板２の一部としてローラー３軸を介して側板５に組み付けてスライド板を構成しているが、多数のローラー３を必要とすること、およびそのローラー３を棚板２に組み付ける工程が必要なことからコストや作業効率の面で問題があった。他の従来例としては、細長なローラーではなく、ドーナッツ状のローラーもあるが、上述の問題点は同じである。
さらに、前記ローラー構造においては、ショーケース内の温度変化や経時変化による劣化で、ローラーの回転が悪くなったり、組み付け状態が歪んだりすることで、缶等のスライドがうまく行かない欠点があった。
また、図３２に示す特許文献２のように、ローラーを用いずに、レール状の棒状の突状リブ１０を用いたスライド板６もある。この場合は、ローラーを使用したものに比較して生産性は非常に良い。
しかし、複数枚でスライド板を構成しようとする場合は、レール状の突状リブ１０の方向を一致させて配置する必要があり、複数のスライド板６の自由自在な組合せをするには余分な作業をする必要があった。一枚ものの場合には、突状リブ１０の方向は一方向でそろうが、複数枚の場合は突状リブ１０の方向が直交する組合せになる可能性もあり、組合せ時にスライド板６の方向を一定にする配慮が必要であった。
さらに、種々のショーケースのサイズ、形状に対応するためには、スライド板６の縦方向や横方向のサイズを変えた多くの組合せ用のスライド板６を用意する必要があり、生産効率が非常に悪くなるという欠点もあった。【０００６】缶、びん等の容器入り飲料等が、陳列販売される従来のショーケースや自動販売機、保温庫では、図３３に示すように、スライド板に直立するように仕切り板を載置するものがほとんどであり、直立を維持するために仕切り板の底部に底板をＬ字状に形成してスライド板上に載置していた。従来の仕切り板は単純にＬ字状の平板を使用するもので単に仕切れば良いという発想だけで作られていた。そのため、固定されない仕切り板ということで、容器の取出し時に容器の配列が乱れたり、ちょっとした振動で配列が崩れたりしてショーケースなどの仕切り板としては不適切であった。特許文献３のように、仕切り板を保持するための嵌合突起を有する固定プレートを採用する発明もあるが、Ｔ字状の底板を必要とするものでその底板部分が載置された容器のスライドを損ねるという欠点があった。本発明は、冷気の流通性を良くすることと陳列商品の接触側面でのスライドを良くしようとするものである。
【特許文献１】特開平１１−３１８６５４公報
【特許文献２】特許第３１５４１１３号公報
【特許文献３】特開２００１−３７６００公報
【発明の開示】
【発明が解決しようとする課題】
【０００７】そこで、本発明では、陳列されている商品が経時的に煩雑となっていくことを解決することにより、人手の省力化に資することができる陳列棚装置を提起することを課題とする。
また、缶、びん等の容器陳列をすると同時に、その取り出しをよりスムースにできるスライド板を提供することにある。
具体的には、そのスライド板は、簡単な構造で傾斜だけを利用するもので、かつ、棒状のスライド用リブの頂点を先鋭化することで、容器とリブ間の摩擦係数を少なくして確実にスライドする構造のスライド板を提供しようとするものである。さらに、容器の整列を確実にするための仕切り板を提供することであり、加えてスライド板と共用するのに適当な仕切り板およびその周辺装置を提供することにある。
【課題を解決するための手段】
【０００８】本発明は、上記課題を解決するためのもので、以下の特徴を有する。
請求項１においては、
缶、びん等の容器、小箱、袋物などに収納された商品を、保管または陳列するためのショーケースや陳列棚において、以下の構成としたことを特徴とする仕切り板を有する陳列棚装置。
（１）陳列商品を仕切るための仕切り板。
（２）前記仕切り板の一部を構成するメッシュ状リブ。
（３）前記メッシュ状リブを囲うように形成される枠部。
請求項２においては、
缶、びん等の容器、小箱、袋物などに収納された商品を、保管または陳列するためのショーケースや陳列棚において、以下の構成としたことを特徴とする仕切り板を有する陳列棚装置。
（１）陳列商品を仕切るための、メッシュ状リブと前記メッシュ状リブを囲うように形成される枠部からなる仕切り板。
（２）前記メッシュ状リブを、リブ間で形成される空間部が略ひし形となるように形成した仕切り板。
請求項３においては、前記請求項１ないし２に加えて、
射出成形機から射出される熔融樹脂を貯留するとともに、前記枠部には直接連通させないことで熔融樹脂を加圧して放出するための誘導帯を、前記メッシュ状リブ上に設けることを特徴とする陳列棚装置。
請求項４においては、前記請求項１ないし３に加えて、
前記誘導帯を、前記メッシュ状リブの空間部に形成することを特徴とする商品の仕切り板を有する陳列棚装置。
請求項５においては、前記請求項１ないし４に加えて、
商品を載置するためのスライド板を狭持または載置するためのガイド部を、前記仕切り板の側面に設けたことを特徴とする仕切り板とスライド板を有する陳列棚装置。
請求項６においては、
缶、びん等の容器、小箱、袋物などに収納された商品を、保管または陳列するためのショーケースや陳列棚において、以下の構成としたことを特徴とする仕切り板を有する陳列棚装置。
（１）陳列商品を仕切るための、メッシュ状リブと前記メッシュ状リブを囲うように形成される枠部からなる仕切り板。
（２）前記仕切り板の少なくとも一方の端面に設けられる係止部。
（３）陳列棚の棚板の手前側に設けられ、かつ、前記係止部を保持する保持部。
請求項７においては、前記請求項６に加えて、
前記係止部と保持部を略円筒形とし、かつ、それらが互いに係合することで係止部が保持部内でスライド可能とすることを特徴とする仕切り板を有する陳列棚装置。
請求項８においては、前記請求項７に加えて、
前記略円筒形の保持部に、前記係止部の一部が嵌合するための切込みを設けることを特徴とする仕切り板を有する陳列棚装置。
請求項９においては、
缶、びん等の容器、小箱、袋物などに収納された商品を、保管または陳列するためのショーケースや陳列棚において、以下の構成としたことを特徴とする仕切り板とスライド板を有する陳列棚装置。
（１）陳列商品を仕切るための、メッシュ状リブと前記メッシュ状リブを囲うように形成される枠部からなる仕切り板。
（２）前記スライド板の少なくとも一方の端面に設けられる係止部。
（３）陳列棚の棚板の手前側に設けられ、かつ、前記係止部を保持する保持部。
（４）複数の平板状のスライド板を結合するために、前記仕切り板の底部に設けられ、かつ、少なくとも左右方向いずれかに開口部を有する結合片。
請求項１０においては、
缶、びん等の容器、小箱、袋物などに収納された商品を、保管または陳列するためのショーケースや陳列棚において、以下の構成としたことを特徴とするスライド板と結合片を有する陳列棚装置。
（１）缶、びん等の容器を載置するために、少なくとも一方の表面に複数の突状リブが形成される平板状のスライド板。
（２）前記スライド板の一方の長手方向に互いに平行に配置される第１のリブ群と、前記第１のリブ群に交差する第２のリブ群で構成される前記複数の突状リブ。
（３）少なくとも一方の端面に、凸部を有する前記スライド板。
（４）前記複数の平板状のスライド板を結合するために、前記スライド板の係止部を係止する開口部を有する結合片。
請求項１１においては、
缶、びん等の容器、小箱、袋物などに収納された商品を、保管または陳列するためのショーケースや陳列棚において、以下の構成としたことを特徴とするスライド板と仕切り版と結合片を有する陳列棚装置。
（１）缶、びん等の容器を載置するために、少なくとも一方の表面に複数のが形成される平板状のスライド板。
（２）前記スライド板の一方の長手方向に互いに平行に配置される第１のリブ群と、前記第１のリブ群に交差する第２のリブ群で構成される前記複数の。
（３）少なくとも一方の端面に、結合凸部を有する前記スライド板。
（４）陳列商品を仕切るために、前記スライド板上に略垂直に載置される平板状の仕切り板。
（５）前記複数の平板状のスライド板と前記仕切り板を一体的に結合するために、前記スライド板の結合凸部を係止するためのスライド板受部と前記仕切り板を係止するための仕切り板受部を有する結合片。
請求項１２においては、
缶、びん等の容器、小箱、袋物などに収納された商品を、保管または陳列するためのショーケースや陳列棚において、以下の構成としたことを特徴とするスライド板を有する陳列棚装置。
（１）缶、びん等の容器を載置するために、表面に複数のが形成されるとともに、裏面は接着剤が塗布できるように平面に形成されたスライドシート。
（２）前記スライドシートが載置される平板状のスライド基板。
（３）前記スライドシートの裏面と前記スライド基板とを張り合わせたスライド板。
請求項１３においては、
缶、びん等の容器、小箱、袋物などに収納された商品を、保管または陳列するためのショーケースや陳列棚において、以下の構成としたことを特徴とする陳列棚装置。
（１）缶、びん等の容器を載置するために、少なくとも一方の表面に複数のが形成される平板状のスライド板からなる棚板。
（２）前記スライド板からなる棚板の前面と側面を囲うための枠部で、かつ、再生材料で構成した枠部。
（３）２色成形により一体化される前記棚板と前記枠部。
請求項１４においては、
缶、びん等の容器、小箱、袋物などに収納された商品を、保管または陳列するためのショーケースや陳列棚において、以下の構成としたことを特徴とするスライド板を有する陳列棚装置。
（１）長手方向に略平行に形成される第１のリブ群と、前記第１のリブ群に交差するように形成された第２のリブ群とからなるメッシュ状リブを有するスライド板。
（２）前記メッシュ状リブを、リブ間で形成される空間部が略ひし形となるように形成したスライド板。
（３）射出成形機から射出される熔融樹脂を貯留するとともに、前記枠部には直接連通させないことで熔融樹脂を加圧して放出するために、前記メッシュ状リブ上に設けた誘導帯。
請求項１５においては、前記請求項１４に加えて、
前記誘導帯を前記メッシュ状リブの高さよりも低く形成したことを特徴とするスライド板を有する陳列棚装置。
【発明の効果】
【０００９】本発明の請求項１においては、容器入り飲料等が、陳列販売されるショーケースや自動販売機、保温庫や冷蔵庫の仕切り板２２を、空間部２０を有するメッシュ状リブ１１で構成したので、使用樹脂の節約および軽量化、そしてショーケース内の冷気の流通性を良くすることが可能となる。冷蔵ショーケースにおいては、消費電力を減らすことができるという効果も生じる。
請求項２においては、仕切り板２２を構成するメッシュ状リブ１１をひし形の空間部２０とすることで、薄型長方形の成形品である仕切り板２２の反りを防止できる効果もある。
請求項３ないし４、請求項１４ないし１５においては、メッシュ状リブ１１上に、誘導帯７を形成することで、メッシュ状の仕切り板２２の成形歩留まりを大幅に向上させることができる。
請求項５ないし１１、においては、スライド板６と仕切り板２２などを一体的に結合する結合片１９や係止部１６、保持部１７、仕切り板受け部３２、スライド板受け部３３などにより、各構成物を一体的に結合して陳列台などを形成するので、強度的に強い陳列棚とすることができる。
請求項１３においては、再生樹脂を使って棚板２を作るので省資源となる。
【発明を実施するための最良の形態】
【００１０】以下に、実施例を掲げて本発明を具体的に説明するが、この発明の範囲はこれらの例示に限定されるものではない。また、本発明中の名称、説明において「陳列棚」という場合は、缶、びん等の容器入り飲料等が、陳列販売されるショーケースや自動販売機、保温庫や冷蔵庫等も含んで表現していることを前提とする。
本発明は、図３０に示すようなショーケース１や自動販売機、保温庫や冷蔵庫の棚板、底板および仕切り板に関するものである。コンビニエンスストアや駅の売店などでは、缶、びん等の容器入り飲料等が陳列販売する場合に、この種のショーケースや自動販売機、保温庫や冷蔵庫を使用している。
この種のショーケース等は、容器の取り出し方向に対して扉側に行くにつれ低く傾斜する傾斜面を有する平板状のスライド板を有し、前記スライド板の上に載置された缶、びん等の容器がスライドして順次取り出せる構造になっている。
通常の構造は、ショーケースの中敷的な棚板に、さらにその上に配置するスライド板を設けるのが一般的であった。
本発明においては、上記の通常の構造でも良いし、本発明のスライド板を直接に棚板または底板として使用する構造でも良い。
以下実施例に基いてさらに詳細に説明をする。
図１は、本発明の仕切り板２２を示すもので、仕切り板全体にメッシュ状リブ１１が形成され、そのリブ間には空間部２０が形成されている。前記メッシュ状リブ１１を囲うように枠部２１が形成される。前記仕切り板２２は、通常高さ１５ｃｍ、長さ３０ｃｍ程度の一枚の長方形板で構成されるが、ショーケース１の形状やサイズによって随時変わる。本図においてはメッシュ状リブ１１の間に空間部２０があるが、このスペースがあることにより、ショーケース等の庫内の冷気流通が良くなる。
また、メッシュ状リブ１１と枠部２１のみで仕切り板２２を形成するものであるから、材料節約のコストダウン型の構造でもある。前述の平板タイプの発明例でも従来のローラーなどを使用するものに比してはコストダウンになるが、本実施例のメッシュ型仕切り板はさらに大幅なコストダウンが図れる。空間部の無い平板型のスライド板に比して強度の問題はあるが、係止構造などに工夫をすることで問題を解消することができる。このスペースは、容器のサイズや形状などに対応して随時変えることが可能である。
【実施例】
【０００１１】図２は、本発明の他の実施例を示すもので、仕切り板２２のメッシュ状リブ１１に誘導帯７を設けたものである。
前記誘導帯７は、射出成形する場合に、ゲートから流入する熔融材料を、メッシュ状リブ１１よりも太径のリブであり、一定圧力を太径のリブに蓄えてから連通する細いメッシュ状リブ１１に圧入するためのものである。この作用により熔融材料はメッシュ状リブ１１の末端まで流入するように働き、低圧成形でメッシュ状リブの成形を可能とするものである。
理想的には仕切り板２２のほぼ中心から放射状の形状をなし、かつ、仕切り板２２の枠部２１までは到達しない配置とする。【０００１２】図３は、本発明の他の実施例を示すもので、メッシュ状リブ１１の形状によってできる空間部を、ひし形状に形成したものである。このひし形状の空間部を形成することは、仕切り板２２の反りを少なくするという効果がある。ひし形の空間部２０を作るには、メッシュ状リブ１１の一方のリブ群、すなわち第１のリブ群２７を仕切り板２２の長手方向に平行にし、他方のリブ群、すなわち第２のリブ群２８は仕切り板２２の長手方向に斜行して形成する。この場合、第１および第２のリブ群は、いずれも仕切り板２２の長手方向に沿って形成されていることになるので、樹脂の流れ方向も仕切り板２２の長手方向に沿って流れる。このために、成形時に変な負荷がかからず、かつ、いわゆる木目に沿って形成されているので、反りにくくなる。出願人の実験では、正方形または長方形の空間部よりは反りにくいという結果が得られている。【００１３】図４は、図３の実施例に、誘導帯７を付加したものである。誘導帯の作用効果は、図２で説明済みなので省略する。【００１４】図５は、本発明の仕切り板２２の斜視図である。メッシュ状リブ１１、枠部２１、空間部２０、誘導帯７を有する構成は、これまでに説明した仕切り板と同じ構成である。この仕切り板２２をさらに実用的に改良したものである。仕切り板２２の底部に、スライド板６を狭持するための仕切り板の側板２３と仕切り板の底板２４が設けられる。これらの側板と底板で複数のスライド板を結合してショーケースの棚板上に載置される。さらに、仕切り板２２の先端の端部に設けられた係止部１６で仕切り板２２をショーケースまたは棚板に固定する。この作用については図１１および図１２で詳細に説明する。【００１５】図６は、本発明の仕切り板２２の断面図である。仕切り板２２の底部に、スライド板６を狭持するための仕切り板の側板２３と仕切り板の底板２４が設けられているが、それが仕切り板２２の両側面に設けていることが特長である。この構成により、複数枚のスライド板６を連続的に結合できる。図７は、仕切り板の側板２３と仕切り板の底板２４が、仕切り板２２の片側側面に設けられたもので、棚板の端での仕切りに使用することを想定した構造になっている、【００１６】図８は、本発明の仕切り板２２を利用した他の実施例を示す。仕切り板２２を側面から見た図である。自動販売機などでは、スペースを有効利用するために容器を横にし、上下方向に傾斜した互い違いのガイド部にて上から下へ容器を取出す方式がある。これに本発明を応用するものである。メッシュ状リブ１１、枠部２１、係止部１６を有する仕切り板２２のメッシュ状リブ１１上に、スライド板６を狭持するためのガイド部１５を設ける。ガイド部１５は、メッシュ状リブ１１の面に直立して高さ１ｃｍ程度で長さ２０ｃｍ程度のリブで、メッシュ状リブ１１と一体に成形しても良い。この場合は、仕切り板２２の長さは３０ｃｍ程度である。また、本実施例では、ガイド部１５は１対のリブにしているが、スライド板６を載置するだけの機能として、一本のリブで構成しても良い。この１対のリブからなるガイド部１５で、傾斜したスライド板６を狭持する。狭持したスライド板上に容器を横にして載置し、容器が下から取出されると、容器の自重により順次上方のスライド板６に載置されている容器から下方のスライド板６にローリングしながら落ちてくる。
この原理、構造は家庭用の冷蔵庫に適用しても良い。冷蔵庫もスペースが限られていることから、容器等などは効率よく収納し、取出し容易にする工夫が必要である。図９は、仕切り板２２を正面から見た図である。飲料容器である缶３１をスライド板６上に横にして載置してある。最下段のスライド板６から缶３１を取出すと、中間段のスライド板２２の缶３１が下方へローリングし、それに連れて最上段のスライド板６から缶３１が下方へローリングしてくる。【００１７】図１０は、仕切り板２２の棚板または陳列台への取り付け構造を示すものである。メッシュ状リブ１１、空間部２０、枠部２１からなる仕切り板２２の両端に、それぞれ短い円柱形の係止部１６を設けて、その係止部１６を保持する保持部１７を棚板や陳列台の前部または／および後部に設ける。この保持部１７は、空洞になった円筒形で、一部開口した構造になっている。係止部１６と保持部１７は係合することで、仕切り板２２を固定する。円柱と円筒の組み合わせなので、係止部は、保持部１７の中を適当に移動できる。その拡大図を図１１に示す。
図１２は、保持部１７に切り込み１８を適当な間隔で設けたもので、この切り込み１８に係止部１６の結合部が嵌着して、適当に移動することを防止する。容器のサイズに合わせて、仕切り板２２を自在位置で固定することが可能になる。【００１８】図１３は、複数のスライド板６を連結して使う場合の構成図である。缶３１の載置されたスライド板６に仕切り板２２を立て、その仕切り板２２の底部に結合片１９が位置する。図１４に示すように、前記結合片１９は、側板２３と底板２４からなり、それぞれが内方に傾斜する形で結合凹部８を形成して、それでスライド板６の結合凸部９を狭持する。結合凸部９は、略楔形をしているので結合は確実に行なわれる。前記結合片１９が、容器のスライドの障害にならないように、スライド板６の面高より高くならない構造にする必要がある。図１４においては、一点鎖線で示すように、結合片１９が、スライド板２２上にある突状リブ１０と面一になっている。【００１９】図１５は、メッシュ状リブ１１を有する仕切り板２２の平面図であり、メッシュ状リブ１１は棒状の突状リブ１０で構成される。棒状の突状リブ１０を複数用いて、仕切り板２２の表面に長手方向に互いに平行に配置される第１のリブ群２５と、前記第１のリブ群２５に交差する第２のリブ群２６を形成したものである。前記第１のリブ群２５は、仕切り板２２の一辺と平行なリブ群とし、第２のリブ群２６は、前記第１のリブ群２５に斜めに配置したものである。略ひし形の空間部２０を形成することができる。メッシュ状リブ１１上には誘導帯７が形成されるが、この誘導帯７は、メッシュ状リブ１１の高さまたは太さよりも高くまたは太い。
図１６の実施例においては、第１のリブ群２５と第２のリブ群２６は、仕切り板２２の一辺に対して斜めになる配置とし、互いに１２０度の角度で交差して、ひし形の形状にしてある。交差角度は、缶やビンなどの容器のサイズ、材質などで適宜変えれば良い。メッシュ状リブ１１上には誘導帯７が形成されるが、この誘導帯７は、メッシュ状リブ１１の高さよりも低くする。
図１７は、図１５の成形品を得るための金型装置である。金型１３には、枠部溝２９と第１のリブ群溝２７と、前記第１のリブ群溝２７に交差する第２のリブ群溝２８を形成したものである。そして、リブ群溝の上に誘導帯溝３０を形成する。Ａ−Ａ‘断面図は、図１９に示す。図１９の金型は、両面彫りの場合を示しており、上型と下型にそれぞれに離型のための同等の負荷をかけると、互いの型表面はほぼ同等の形状であるため、離型時にかかる負荷も同じ程度になる。このため、離型時の同じタイミングで離型操作をすることで押出しピンを用いなくても離型できる。したがって、通常の離型のための押し出しピン用の押し出しピン孔が不要となり、金型製造が非常にやりやすく、かつ、押し出し動作による成形品の変形がなくなるという利点がある。
図１８は、図１６の成形品を得るための金型装置である。金型１３には、枠部溝２９と第１のリブ群溝２７と、前記第１のリブ群溝２７に交差する第２のリブ群溝２８を形成したものである。そして、リブ群溝の上に誘導帯溝３０を形成する。Ｂ−Ｂ‘断面図は、図２０に示す。【００２０】図２１は、本発明の結合片１９の斜視図である。棚板や陳列台の長さに準じた横長の長方体に、スライド板６を係止するための横溝であるスライド板受け部３３と仕切り板２２を係止するための縦溝である仕切り板受け部３２を設ける。
図２２は、結合片１９とスライド板６の断面図と仕切り板の側面図である。突状リブ１０を有するスライド板６は、結合片１９のスライド板受け部３３に係止される。その状態に、棒状の突状リブ１０を有する仕切り板２２が結合片１９の仕切り板受け部３２に係止される。三者が同時に係止されるので、かなりの強度を保てることになる。図２３は、結合片１９の他の変形実施例である。仕切り板受け部３２は、結合片１９の上側にのみ設けられる形状であり、かつ、スライド板受け部３３の底部の幅が狭くなっている。図２４に示すように、スライド板６の結合凸部９との係止が棚板や陳列台と面一になるような構造にしたものである。【００２１】図２５および図２６は、２色成形により形成される棚板２または側板５を有する棚板２や陳列台を示すものである。図２５は、前部と後部の棚板２に接続されるスライド板６の上に、複数の缶３１が載置されている状態を示す。図２６は、棚板２と側板５が一体成形された棚板２に、複数の缶３１が載置されている状態を示す。スライド板６は、表面に傾斜面を設けてテーパーをつける構造にして、缶３１をスライドさせる構成になっている。棚板２や側板５と一体化した棚板２は、再生樹脂を使ってコストを下げるために２色成形で成形したものである。石油資源は埋蔵量に限りがあることから、棚板部分には再生樹脂を使い、スライド板６にはバージンの樹脂を使って一体的に陳列台を製作するものである。【００２２】図２９は、スライド板をスライドシート３４として、前記スライドシート３４を棚板２に張り合わせるものである。厚手のスライド板を作るには、多くの樹脂を使用することになり、材料費が高くなるという欠点がある。そこで肉厚のスライド板を止めて、薄手のスライドシート３４を使用することでコストを低減しようとするアイディアである。薄肉のシートは、缶を載置するだけの強度はないので、スライドシート３４を棚板２の上に接着して強度を維持しようとするものである。棚板２がベースになるので、複数の缶がスライドシート３４上に載置されても強度的な問題は解消される。図２７は、頂部が鋭角になった突状リブ１０を有するスライドシート３４である。頂部が鋭角なので、缶などの容器との接触面積が小さくなり、摩擦係数も小となるのでスライド性が良くなる。ただし、鋭角なので缶との接触で磨耗しやすいという欠点がある。図２８は、前記欠点を補うために、突状リブ１０の頂部を磨耗性の低い円形にしたものである。
【図面の簡単な説明】
【００２３】
【図１】本発明の仕切り板の一例を示す斜視図である。
【図２】本発明の仕切り板の他の一例を示す斜視図である。
【図３】本発明の仕切り板の他の一例を示す斜視図である。
【図４】本発明の仕切り板の他の一例を示す斜視図である。
【図５】本発明の仕切り板の他の一例を示す斜視図である。
【図６】本発明の仕切り板の一例を示す断面図である。
【図７】本発明の仕切り板の他の一例を示す断面図である。
【図８】本発明の仕切り板とガイドを組み合わせた一例を示す側面図である。
【図９】本発明の仕切り板とガイドを組み合わせた一例を示す正面図である。
【図１０】本発明の仕切り板とスライド板を組み合わせた一例を示す側面図である。
【図１１】本発明の仕切り板の細部の一例を示す拡大側面図である。
【図１２】本発明の仕切り板の結合部の一例を示す斜視図である。
【図１３】本発明の仕切り板とスライド板を組み合わせた一例を示す正面図である。
【図１４】本発明の結合片とスライド板を組み合わせた一例を示す側面図である。
【図１５】本発明の仕切り板の一例を示す上面図である。
【図１６】本発明の仕切り板の他の一例を示す上面図である。
【図１７】本発明の仕切り板の一例を示す金型の上面図である。
【図１８】本発明の仕切り板の他の一例を示す金型の上面図である。
【図１９】本発明の仕切り板の一例を示す金型の断面図である。
【図２０】本発明の仕切り板の他の一例を示す金型の断面図である。
【図２１】本発明の結合片の一例を示す斜視図である。
【図２２】本発明の結合片とスライド板を組み合わせた一例を示す側面図である。
【図２３】本発明の結合片の他の一例を示す斜視図である。
【図２４】本発明の結合片とスライド板を組み合わせた他の一例を示す側面図である。
【図２５】本発明の棚板とスライド板を組み合わせた一例を示す側面図である。
【図２６】本発明の棚板とスライド板を組み合わせた他の一例を示す側面図である。
【図２７】本発明のスライドシートの一例を示す断面図である。
【図２８】本発明のスライドシートの他の一例を示す断面図である。
【図２９】本発明のスライドシートと棚板を組み合わせた一例を示す斜視図である。
【図３０】従来のショーケースの一例を示す斜視図である。
【図３１】従来のスライド板の一例を示す斜視図である。
【図３２】従来のスライド板の他の一例を示す上面図である。
【図３３】従来の仕切り板の一例を示す断面図である。
【符号の説明】
【００２４】１    ショーケース
２    棚板
３    ローラー
４    ローラー軸受
５    側板
６    スライド板
７    誘導帯
８    結合凹部
９    結合凸部
１０  突状リブ
１１  メッシュ状リブ
１２
１３  金型
１４  メッシュ状リブ溝
１５  ガイド部
１６  係止部
１７  保持部
１８  切り込み
１９  結合片
２０  空間部
２１  枠部
２２  仕切り板
２３  側板
２４  底板
２５  第１のリブ群
２６  第２のリブ群
２７  第１のリブ溝群
２８  第２のリブ溝群
２９  枠部溝
３０  誘導帯溝
３１  缶
３２  仕切り板受部
３３  スライド板受部
３４  スライドシート
３５  スライド基板
【図１】
2006181312.tif 000003
【図２】
2006181312.tif 000004
【図３】
2006181312.tif 000005
【図４】
2006181312.tif 000006
【図５】
2006181312.tif 000007
【図６】
2006181312.tif 000008
【図７】
2006181312.tif 000009
【図８】
2006181312.tif 000010
【図９】
2006181312.tif 000011
【図１０】
2006181312.tif 000012
【図１１】
2006181312.tif 000013
【図１２】
2006181312.tif 000014
【図１３】
2006181312.tif 000015
【図１４】
2006181312.tif 000016
【図１５】
2006181312.tif 000017
【図１６】
2006181312.tif 000018
【図１７】
2006181312.tif 000019
【図１８】
2006181312.tif 000020
【図１９】
2006181312.tif 000021
【図２０】
2006181312.tif 000022
【図２１】
2006181312.tif 000023
【図２２】
2006181312.tif 000024
【図２３】
2006181312.tif 000025
【図２４】
2006181312.tif 000026
【図２５】
2006181312.tif 000027
【図２６】
2006181312.tif 000028
【図２７】
2006181312.tif 000029
【図２８】
2006181312.tif 000030
【図２９】
2006181312.tif 000031
【図３０】
2006181312.tif 000032
【図３１】
2006181312.tif 000033
【図３２】
2006181312.tif 000034
【図３３】
2006181312.tif 000035